(57)【要約】本発明は、飲料の容器本体と、容器本体（２）に対して閉鎖位置と開放位置との間で回転軸（４）の周りに枢動するように取り付けられた蓋と、蓋（３）の開放位置への戻り装置（５）とを備える飲料持ち歩き用のボトル（１）に関し、ボトルは、戻り手段の作用によって蓋に押し付けられる制動保持要素（６）を備え、制動保持要素は蓋に対して可動であり、蓋をその開放位置で保持する。
2020523262.tif 000002
【特許請求の範囲】
【請求項１】
−  飲料の容器本体（２）と、
−  前記容器本体（２）に対して閉鎖位置と開放位置との間で回転軸（４）の周りに枢動して開放行程を規定するように取り付けられた蓋（３）と、
−  前記蓋（３）の開放位置への戻り装置（５）と
を備える飲料持ち歩き用のボトル（１）であって、
戻り手段（７）の作用によって前記蓋（３）に押し付けられる制動保持要素（６）を備え、前記制動保持要素（６）は、前記開放行程の全域で前記蓋（３）に制動をかけるために、また前記蓋（３）を前記開放位置で保持するために前記蓋（３）に対して可動であることを特徴とするボトル（１）。
【請求項２】
前記制動保持要素（６）は、前記蓋（３）が前記閉鎖位置から前記開放位置に移行するときに前記制動保持要素（６）が前記蓋（３）に対して摩擦する制動位置と、前記制動保持要素（６）が前記蓋（３）を前記開放位置で保持する保持位置との間で前記回転軸（４）に沿って並進可能となるように取り付けられることを特徴とする請求項１に記載のボトル（１）。
【請求項３】
前記制動保持要素（６）は、前記蓋（３）と協働する制動機構（６２）を備え、前記制動機構（６２）が前記蓋（３）の補完的摩擦面（３２２）と摩擦する摩擦面（６２２）を備えることで、前記蓋（３）が前記閉鎖位置から前記開放位置に移行するときに前記蓋（３）の動きを減速させることができることを特徴とする請求項１または２に記載のボトル（１）。
【請求項４】
前記摩擦面（６２２）は平坦で、前記回転軸（４）に対して垂直をなすことを特徴とする請求項３に記載のボトル（１）。
【請求項５】
前記摩擦面（６２２）は、らせん面（６２３）の一部位であることを特徴とする請求項３に記載のボトル（１）。
【請求項６】
前記制動保持要素（６）は、前記蓋（３）を前記開放位置で拘束する保持機構（６１）を備えることを特徴とする請求項１乃至５のいずれか一項に記載のボトル（１）。
【請求項７】
前記保持機構（６１）は、前記蓋（３）が前記開放位置にあるときに前記蓋（３）の少なくとも１つの二次壁（３１１）と協働して前記蓋（３）を前記開放位置で保持することのできる一次壁（６１１）を備え、前記一次壁（６１１）と前記二次壁（３１１）は、所定の値を上回る値の外力が前記蓋（３）に加えられたとき、前記制動保持要素（６）がその前記保持位置から前記制動位置に移行し、前記蓋（３）が前記開放位置を離れて前記閉鎖位置に向かうように構成されることを特徴とする請求項６に記載のボトル（１）。
【請求項８】
前記一次壁（６１１）および／または前記二次壁（３１１）は平坦であることを特徴とする請求項７に記載のボトル（１）。
【請求項９】
前記容器本体（２）に設けられた支持部（２３）を備え、前記支持部（２３）は、飲料を特に前記容器本体（２）の外の方へ通すことのできる開口（２３１）および注ぎ口（２３２）を備え、前記蓋（３）は、前記閉鎖位置と前記開放位置との間で前記回転軸（４）の周りに枢動可能に前記支持部（２３）に取り付けられることを特徴とする請求項１乃至８のいずれか一項に記載のボトル（１）。
【請求項１０】
前記制動保持要素（６）は、前記支持部（２３）の区画（２３４）内で並進するように案内されることを特徴とする請求項９に記載のボトル（１）。
【請求項１１】
前記蓋（３）が前記閉鎖位置にあるとき、前記蓋（３）は錠止システム（９）によって前記支持部（２３）に錠止されることを特徴とする請求項９または１０に記載のボトル（１）。
【請求項１２】
前記蓋（３）の前記開放位置への前記戻り装置（５）は、前記回転軸（４）の周りに設けられたねじりばね（５１）を備えることを特徴とする請求項１乃至１１のいずれか一項に記載のボトル（１）。
【発明の詳細な説明】
【技術分野】
【０００１】
本発明は、蓋の開放速度の減速と開放位置での蓋の保持を可能にする制動保持要素を備える飲料持ち歩き用のボトルに関する。
【０００２】
本明細書では、ボトルについて説明するために使用する「長手方向」、「横断方向」、「水平」、「垂直」、「下」、「上」、「高」、「低」の用語は、水平面に置いたときの使用状態でのボトルを基準としていることに留意されたい。
【背景技術】
【０００３】
飲料持ち歩き用のボトルであって、飲料の容器本体と、本体に対して閉鎖位置と開放位置との間で回転軸の周りに枢動して開放行程を規定するように取り付けられた蓋と、蓋の開放位置への戻り装置とを備えるボトルが知られている（例えば、特許文献１）。
【０００４】
こうしたボトルは、蓋と協働するようにされた蓋の錠止機構であって、錠止機構が錠止位置にあるときに蓋をその閉鎖位置に錠止するように、また錠止機構がその錠止位置から錠止解除位置に移行すると蓋をその閉鎖位置から解放し、その後は蓋が戻り装置の作用で開放されるように構成された錠止機構を備える。
【０００５】
しかし、こうしたボトル構造における蓋の開放動作は、蓋がその閉鎖位置から開放位置に移行するとき、戻り装置の作用によって突然で急なものとなり、そのために蓋はストッパに勢いよく突き当たる。
【０００６】
さらに、こうしたボトルの蓋は、開いたときにその開放位置で保持されない。ボトル内の飲料を飲もうとするとき、ユーザーはボトルを手に持ち、腕を曲げてボトルを口に持っていくが、その際、開放位置の蓋はその自重によって閉鎖位置の方に再び閉じようとする傾向がある。そのため、蓋はその使用中にユーザーの顔に落ちてくるおそれがある。そのため、こうした構造はユーザーにとって不快な使用感を引き起こすことになりかねない。
【先行技術文献】
【特許文献】
【０００７】
【特許文献１】国際公開第２０１５０５５０５５号
【発明の概要】
【発明が解決しようとする課題】
【０００８】
本発明の目的は、上述のような不都合を是正して、ユーザーが快適な使用感を得られるようにする人間工学的に改善されたボトルを提案することにある。
【０００９】
本発明のもう１つの目的は、単純かつ経済的に実施することのできる設計を有する飲料持ち歩き用のボトルを提供することにある。
【課題を解決するための手段】
【００１０】
これらの目的は、飲料の容器本体と、容器本体に対して閉鎖位置と開放位置との間で回転軸の周りに枢動して開放行程を規定するように取り付けられた蓋と、前記蓋の開放位置への戻り装置とを備える飲料持ち歩き用のボトルにおいて、戻り手段の作用によって蓋に押し付けられる制動保持要素を備え、制動保持要素は、開放行程の全域で蓋に制動をかけるために、また蓋をその開放位置で保持するために蓋に対して可動であることを特徴とするボトルによって達成される。
【００１１】
このような構造により、制動保持要素は２つの機能を果たす。すなわち、開放動作時の蓋の制動という第１の機能と開放位置での蓋の保持という第２の機能である。それにより、蓋の突然の開放とユーザーの顔面への蓋の降下を防いで、ユーザーによる体験が改善される。
【００１２】
好ましくは、制動保持要素は、蓋がその閉鎖位置からその開放位置に移行するときに制動保持要素が蓋に対して摩擦する制動位置と、制動保持要素が蓋をその開放位置で保持する保持位置との間で回転軸に沿って並進可能となるように取り付けられる。
【００１３】
制動保持要素は制動位置と保持位置との間で回転軸に沿って並進可能である。戻り手段は制動保持要素に対して回転軸の方向に戻り力を加え、それにより、蓋がその閉鎖位置からその開放位置に移行するとき、制動保持要素は回転軸に沿って並進してその保持位置に移行する。こうした制動保持要素は実施するに当たってコンパクトかつ単純な構造を有する。
【００１４】
好ましくは、制動保持要素は蓋と協働する制動機構を備え、その制動機構が蓋の補完的摩擦面と摩擦する摩擦面を備えることで、蓋がその閉鎖位置から開放位置に移行するときに蓋の動きを減速させることができる。
【００１５】
そのため、制動保持要素の摩擦面は戻り手段の作用で蓋の補完的摩擦面に押し付けられて、蓋に動摩擦を加え、蓋がその閉鎖位置からその開放位置に移行するときに蓋の動きに対抗する。
【００１６】
有利には、摩擦面は平坦で、回転軸に対して垂直をなす。
【００１７】
摩擦面は蓋の補完的摩擦面に摩擦力を加え、それによって開放行程の間、蓋の動きに対抗する。
【００１８】
有利には、摩擦面は、らせん面の一部位を備える。
【００１９】
らせん面とは、回転軸と直交する線分が、その一方の端点が回転軸と一体化した直線を描くようにらせん移動することによって得られる面をいう。
【００２０】
そのため、蓋がその閉鎖位置からその開放位置に移行するとき、動摩擦は次第に低下する。蓋の開放行程の当初は、開放行程の当初に最大の戻り力をもたらす戻り手段の作用で蓋に加わる最大の動摩擦によって動きの加速度は大幅に下がる。次いで、制動保持要素に加わる戻り手段の戻り力は蓋がその閉鎖位置からその開放位置に移行するにつれて弱まり、動摩擦は次第に低下する。
【００２１】
好ましくは、制動保持要素は、蓋をその開放位置で拘束する保持機構を備える。
【００２２】
こうした保持機構は蓋を開放位置で保持する第２の機能を保証する。
【００２３】
有利には、保持機構は、蓋が開放位置にあるときに蓋の少なくとも１つの二次壁と協働して蓋をその開放位置で保持することのできる一次壁を備え、一次壁と二次壁は、所定の値を上回る値の外力が蓋に加えられたとき、制動保持要素がその保持位置からその制動位置に移行し、蓋がその開放位置を離れて閉鎖位置に向かうように構成される。
【００２４】
ユーザーは蓋を押し戻すだけで、蓋をその開放位置から閉鎖位置に移行させることができる。そのため、蓋をその開放位置から閉鎖位置に移行させるための操作はユーザーが容易に行えるものである。
【００２５】
有利には、一次壁および／または二次壁は平坦である。
【００２６】
一次壁および／または二次壁は、単純で効果的かつ実施が容易な構造を有する。
【００２７】
好ましい実施形態では、ボトルは、容器本体に設けられた支持部を備え、支持部は、飲料を特に容器本体の外の方へ通すことのできる開口および注ぎ口を備え、蓋は、閉鎖位置と開放位置との間で回転軸の周りに枢動可能に支持部に取り付けられる。
【００２８】
蓋は支持部に枢動可能に取り付けられ、その支持部は容器本体に設けられる。支持部は、洗浄および本体への飲料充填のために容易に取り外せるように設計される。
【００２９】
有利には、制動保持要素は支持部の区画内で並進するように案内される。
【００３０】
蓋の効果的な減速および保持が保証されるように、制動保持要素ならびに支持部の区画は、支持部の区画内では制動保持要素が回転軸に沿って並進でのみ可動となるように構成される。
【００３１】
好ましい実施形態では、蓋が閉鎖位置にあるとき、蓋は錠止システムによって支持部に錠止される。
【００３２】
錠止システムは、蓋がその閉鎖位置に保持される錠止位置と、蓋がその閉鎖位置から解放される錠止解除位置との間で可動な錠止機構を備える。
【００３３】
有利には、前記蓋の開放位置への戻り装置は回転軸の周りに設けられたねじりばねを備える。
【００３４】
これにより、蓋がその閉鎖位置にあるときには、ねじりばねは最大レベルで付勢され、蓋に対して最大のねじり力を加える。錠止機構がその錠止解除位置に移行して蓋をその閉鎖位置から解放すると、蓋はその最大のねじり力の作用で自動的に開放される。ねじりばねによって与えられるねじり力は蓋の開放の間に次第に低下し、蓋がその開放位置に到達すると最低レベルに達する。
【００３５】
本発明の目的、態様および利点については、限定的でない例として添付の図面を参照しながら紹介する本発明の具体的実施形態に関する以下の説明によってよりよく理解されよう。
【図面の簡単な説明】
【００３６】
【図１】本発明の具体的実施形態によるボトルであって、蓋が閉鎖位置にあるボトルの斜視図である。
【図２】蓋が開放位置にある図１のボトルの斜視図である。
【図３】図１のボトルの分解図である。
【図４】図２のボトルの上面図である。
【図５】保持位置にある制動保持要素を示した図４のＡ−Ａ断面によるボトルの断面図である。
【図６】制動位置にある制動保持要素を示したボトルの断面図である。
【図７】図１の制動保持要素の斜視図である。
【図８】図１の蓋、とりわけ二次壁および補完的摩擦面を示した斜視図である。
【図９】本発明の第２の具体的実施形態による制動保持要素を示した図である。
【図１０】本発明の第３の具体的実施形態による蓋を示した斜視図である。
【発明を実施するための形態】
【００３７】
以下に説明する実施形態は、湯、水、コーヒー、紅茶などの飲料の持ち歩き用のボトルであって、蓋の開放速度を減速するとともにその開放位置でのその保持を可能にする制動保持要素を備えるボトルに関する。図１および２に示すような本発明の具体的実施形態では、ボトル１は飲料の容器本体２と、容器本体２に対して回転軸４の周りに枢動可能に取り付けられた蓋３と、支持部２３とを備える。この具体的実施形態では、容器本体２の一部分はステンレス鋼で製作され、容器本体２は真空の空間を間に挟んだ二重壁構造を有する。それ以外の実施形態では、容器本体２は、金属材料、複合材料、プラスチック材料、ガラス材料、ポリマー材料およびそれらを組み合わせたものなどを含むがそれだけに限らない、あらゆる適切な材料で製造される。ボトル１は、プラスチック製またはゴム製の材料からなるベース部２０であって、容器本体２を外部の衝撃から守るために容器本体２の下部に設けられたベース部２０を備える。支持部２３は容器本体２と蓋３との間に設けられ、蓋３は、閉鎖位置と開放位置との間で回転軸４の周りに枢動して開放行程を規定するように支持部２３に取り付けられる。
【００３８】
図３および４のとおり、蓋３は、支持部２３に備わる管２３Ａに軸４２を介して回転軸４の周りに枢動連結される形で取り付けられている。支持部２３は、飲料を特に容器本体２の外の方へ通すことができるように構成された注ぎ口２３２および開口２３１を備える。支持部２３は容器本体２の上部開口（図示せず）に螺合される。容器本体２と支持部２３との間の組立ての水密性はシール（図示せず）によって保証される。ボトル１は、蓋３の開放位置への戻り装置５と、支持部２３に設けられた錠止システム９とを備える。錠止システム９は、蓋３がその閉鎖位置で保持される錠止位置と、蓋３がその閉鎖位置で錠止を解かれる錠止解除位置との間で軸１０の周りを枢動する錠止ボタン９１の形の錠止機構を備える。
【００３９】
蓋３は、蓋３の内面３０に設けられた柔軟素材製の閉鎖栓３２を備えている。閉鎖栓３２は、蓋３が閉鎖位置に来ると、開口２３１を通る飲料の通路が閉鎖栓３２によって密閉状態で閉ざされるように支持部２３の開口２３１と協働する。
【００４０】
戻り装置５は、蓋３と支持部２３との間で回転軸４の周りに設けられたねじりばね５１を備える。錠止位置にある錠止機構９１によって蓋３がその閉鎖位置で錠止されるときは、ねじりばね５１は最大レベルで付勢され、蓋３に対して最大のねじり力を加える。錠止機構９１がその錠止解除位置に移行して蓋３をその閉鎖位置から解放すると、蓋３はねじりばね５１の作用でその閉鎖位置から開放位置に開く。ねじりばね５１によって与えられるねじり力は蓋が開く間に次第に低下し、蓋３がその開放位置に到達したときに最小レベルに達する。
【００４１】
図５および６に示すように、ねじりばね５１は、管２３Ａ内部に設けられた第１の空所２３３内に軸４２の周りに設けられている。ボトル１は、戻り手段７の作用を受けて蓋３に押し付けられる制動保持要素６を備えている。戻り手段７は、支持部２３の区画２３４内に回転軸４の周りに設けられたばね７であり、区画２３４は管２３Ａの内部に設けられた第２の空所２３４であり、制動保持要素６は部分的に第２の空所２３４内に設けられており、ばね７の一部分は制動保持要素６の内部空所６０内に設けられている。制動保持要素６は、蓋３がその閉鎖位置から開放位置に移行するときに制動保持要素６が蓋３に対して摩擦する制動位置と、制動保持要素６が蓋３をその開放位置に錠止する保持位置との間を回転軸４に沿って並進可能である。図５に示すように、蓋３はその開放位置で保持され、制動保持要素６はその保持位置にある。
【００４２】
図７および８のとおり、制動保持要素６は、蓋３がその閉鎖位置から開放位置に移行するときに蓋３の動きを制動するように構成された制動機構６２を備えている。制動機構６２は摩擦面６２２を備えている。図６に示すように制動保持要素６が制動位置にあるとき、摩擦面６２２は蓋３の補完的摩擦面３２２にばね７の作用で押し付けられて蓋に動摩擦を加え、蓋がその閉鎖位置からその開放位置に移行するときに蓋３の動きに対抗する。この具体的な実施形態では、摩擦面６２２および補完的摩擦面３２２は平坦で、回転軸４に対して垂直である。摩擦面６２２および補完的摩擦面３２２の接触面は蓋３の開放が進むにつれて小さくなっていく。そのため、蓋３に加わる動摩擦は、蓋３がその閉鎖位置からその開放位置に移行するとき、次第に低下する。摩擦の低減はねじりばね５１によって蓋３に加わる力の変化を埋め合わせる。
【００４３】
制動保持要素６は、蓋３をその開放位置に拘束することができる保持機構６１を備える。保持機構６１は、環状面６６から摩擦面６２２に延びる一次壁６１１を備える。蓋３が開放位置にあるとき、一次壁６１１は蓋３の二次壁３１１と協働することで蓋３をその開放位置に保持することができる。二次壁３１１は平坦で、回転軸４と垂直な平坦面３３から蓋３の補完的摩擦面３２２に向けて延びる。一次壁６１１は回転軸４に対して傾斜した部位を少なくとも１つ備えることで、二次壁３１１が一次壁６１１に対して摺動できるようにされる。それにより、所定の値を上回る値の外力を蓋３に加えると、制動保持要素６はその保持位置から制動位置に移行し、蓋３はその開放位置を離れ、その閉鎖位置に向かう。
【００４４】
図３および７のとおり、制動保持要素６は、制動保持要素６の回転を拘束し、支持部２３に備わる管２３Ａの第２の空所２３４内でのその並進運動を案内するように構成された案内機構６３を備えている。三角プリズムに似た構造を持つ案内機構６３は、制動保持要素６の円筒面６７に回転軸４に沿った突起の形で設けられる。
【００４５】
使用時、錠止ボタン９１によってその閉鎖位置に閉ざされていた状態の蓋３を開けるには、ユーザーは錠止ボタン９１を押して、その錠止位置からその錠止解除位置に錠止ボタン９１を転動させる。それにより、蓋３はその閉鎖位置から解放される。すると、蓋３はその開放位置の方に開き始め、ねじりばね５１の作用で回転軸４の周りに枢動するようになる。制動保持要素６の摩擦面６２２は蓋の補完的摩擦面３２２に対してばね７の作用で摩擦し、蓋３の開放動作を遅らせることができる。蓋３がその開放位置に到達すると、制動保持要素６の一次壁６１１は蓋３の二次壁３１１と協働することで蓋３をその開放位置に保持できるようにする。
【００４６】
開放位置に保持された蓋３を閉じるときは、ユーザーは所定の値を上回る値の外力を加えて、蓋３をその閉鎖位置に押し戻す。蓋３の二次壁３１１は制動保持要素６の一次壁６１１を摺動し、それによって制動保持要素６はその保持位置から制動位置に移行し、蓋３はその開放位置を離れてその閉鎖位置に向かう。蓋３がその閉鎖位置に到達すると、蓋３は錠止ボタン９１によって錠止される。その結果、蓋３は閉ざされ、開口２３１を通る飲料の通路は閉鎖栓３２によって閉ざされる。
【００４７】
本発明が、あくまでも例として取り上げて説明し、図示した実施形態だけに何ら限定されるものでないことは言うまでもない。各種要素の構成という観点からの変更や、技術的等価物による置き換えによる変更は、それによって本発明の保護領域から外れることなく、なお可能である。
【００４８】
図９に示した本発明の第２の具体的実施形態によれば、制動保持要素６の摩擦面６２２は、らせん面６２３の部位を備えている。らせん面とは、回転軸４と直交する線分が、その一方の端点が回転軸４と一体化した直線を描くようにらせん移動することによって得られる面をいう。摩擦面６２２のらせん面部位６２３は、蓋３がその閉鎖位置からその開放位置に移行する間に制動保持要素６がその保持位置に次第に並進していくように構成されている。そのため、蓋３に加わる動摩擦は、蓋３がその閉鎖位置からその開放位置に移行するとき、次第に低下する。蓋３の開放行程の当初は、開放行程の当初に最大の戻り力をもたらすばね７の作用で蓋３に加わる最大の動摩擦によって動きの加速度は大幅に低下する。その後、制動保持要素６に加わる戻りばね７の戻り力は蓋３がその閉鎖位置からその開放位置に移行するにつれて弱まり、動摩擦は次第に低下する。こうした摩擦面６２２の構造は、ユーザーが比較的小さな力を加えるだけでより容易に蓋３を閉めることを可能にする。
【００４９】
ある変形実施形態では、蓋３の補完的摩擦面３２２は、蓋３がその閉鎖位置からその開放位置に移行する間に制動保持要素６がその保持位置に次第に並進するように制動機構６２のらせん面６２３の部位と協働する補完的らせん面部位である。そのため、蓋３に加わる動摩擦は、蓋３がその閉鎖位置からその開放位置に移行するとき、次第に低下する。
【００５０】
反対に、蓋の二次壁は回転軸に対して傾斜する。蓋の二次壁は平坦でない面を有する。
【００５１】
図１０に示した本発明の第３の具体的な実施形態によれば、蓋３の補完的摩擦面３２２は蓋３の平坦面３３と一体化している。補完的摩擦面３２２は平坦で、回転軸４に対して垂直をなす。この具体的な実施形態では、制動保持要素６は図７に示したものと同じであり、制動機構６２の摩擦面６２２はばね７の作用で蓋３の補完的摩擦面３２２に対して摩擦して蓋３をその開放行程で減速させるように構成される。そのため、蓋３の開放は蓋３がその開放位置に到達するまで次第に減速し、開放位置で蓋３は支持部２３の面によって衝止される。開放行程の最後で、ばね７の作用で蓋３に押し付けられる制動機構６２によって蓋３はその開放位置に保持される。
【００５２】
別の変形実施形態では、制動保持要素の案内機構は、制動保持要素の円筒面に回転軸に沿って突出する直方体に類した形状を有する。
【図１】
2020523262.tif 000003
【図２】
2020523262.tif 000004
【図３】
2020523262.tif 000005
【図４】
2020523262.tif 000006
【図５】
2020523262.tif 000007
【図６】
2020523262.tif 000008
【図７】
2020523262.tif 000009
【図８】
2020523262.tif 000010
【図９】
2020523262.tif 000011
【図１０】
2020523262.tif 000012
【国際調査報告】
2020523262.tif 000013
2020523262.tif 000014
2020523262.tif 000015
2020523262.tif 000016